(57)【要約】      （修正有）【課題】たこ焼きの焼き器において、仕切り溝が小麦粉生地に覆い隠されて、分割をガイドする仕切り溝の作用が無効になることを解決する焼き器を提供する。【解決手段】焼き器１は、いくつかの仕切り溝１３がプレート面に形成されている焼き器であって、焼き器の周縁の、仕切り溝の少なくとも一端に対応する位置に、分割をガイドするためのガイドマーク１２１が設けられている。また、焼き器の周縁に突縁部１２が形成されており、突縁部の、仕切り溝の端部に対応する位置にガイドマークが設けられている。【選択図】図１
0003231215.tif 000002
【実用新案登録請求の範囲】
【請求項１】
いくつかの仕切り溝がプレート面に形成されている焼き器であって、焼き器の周縁の、前記仕切り溝の少なくとも一端に対応する位置に、分割をガイドするためのガイドマークが設けられていることを特徴とする焼き器。
【請求項２】
前記焼き器の周縁に突縁部が形成されており、前記突縁部の、前記仕切り溝の端部に対応する位置に前記ガイドマークが設けられていることを特徴とする請求項１に記載の焼き器。
【請求項３】
前記突縁部の、前記仕切り溝の各々の両端に対応する位置にガイドマークがいずれも設けられていることを特徴とする請求項２に記載の焼き器。
【請求項４】
前記ガイドマークが、前記突縁部に開設された切り欠きであることを特徴とする請求項２に記載の焼き器。
【請求項５】
前記ガイドマークが、前記突縁部に設けられた突起であることを特徴とする請求項２に記載の焼き器。
【請求項６】
前記焼き器に２４個の焼き用の穴形状が設けられており、各穴が前記焼き器上に均等に配列されて４行５列の等間隔構造を形成することを特徴とする請求項１〜５のいずれか一項に記載の焼き器。
【請求項７】
各行の前記穴の間と各列の前記穴の間に配置された前記焼き器の前記プレート面に前記仕切り溝がいずれも開設されていることを特徴とする請求項６に記載の焼き器。
【考案の詳細な説明】
【技術分野】
【０００１】
本考案は焼くための機器の技術分野に関し、具体的には焼き器に関する。
【背景技術】
【０００２】
従来技術では、たこ焼き器は通常、そのプレート面に、焼き終わったものを等分に分割しやすくするためのいくつかの仕切り溝が設けられるが、焼き器に流し込む小麦粉生地が多過ぎた場合、しばしば仕切り溝が覆い隠されて判別が困難になり、分割をガイドする作用を仕切り溝が失うことになる。
【考案の概要】
【考案が解決しようとする課題】
【０００３】
従来技術の欠点に対し、本考案は、焼き器における仕切り溝が小麦粉生地に覆い隠されて、分割をガイドする仕切り溝の作用が無効になることにつながりやすい等の技術的課題を主に解決する焼き器を提供している。
【課題を解決するための手段】
【０００４】
上記の目的を果たすため、本考案は、以下の技術的解決策によって実現される：
いくつかの仕切り溝がプレート面に形成されている焼き器であって、焼き器の周縁の、仕切り溝の少なくとも一端に対応する位置に、分割をガイドするためのガイドマークが設けられている焼き器。
【０００５】
さらには、前記焼き器の周縁に突縁部が形成されており、突縁部の、仕切り溝の端部に対応する位置にガイドマークが設けられている。
【０００６】
さらには、突縁部の、各仕切り溝の両端に対応する位置にガイドマークがいずれも設けられている。
【０００７】
さらには、前記ガイドマークが、突縁部に開設された切り欠きである。
【０００８】
さらには、前記ガイドマークが、突縁部に設けられた突起である。
【０００９】
さらには、前記焼き器に２４個の焼き用の穴形状が設けられており、各穴が焼き器上に均等に配列されて４行５列の等間隔構造を形成する。
【００１０】
さらには、各行の穴の間と各列の穴の間に配置された焼き器のプレート面に仕切り溝がいずれも開設されている。
【００１１】
本考案に記載の焼き器は次のような利点を有する：
焼き器のプレート面にいくつかの仕切り溝が形成されており、かつ、焼き器の周縁の、仕切り溝の少なくとも一端に対応する位置に、分割をガイドするためのガイドマークが設けられているため、使用する際に、仕切り溝が小麦粉生地に覆い隠されても、焼き器の周縁の、仕切り溝端部に対応して設けられたガイドマークによって、消費者が可能な限り仕切り溝に沿って焼き器内の焼き終わったものを等分に分割することができるようになっている。
【図面の簡単な説明】
【００１２】
【図１】本考案の実施例の立体構造概略図である。
【図２】図１中のＡの箇所の局部拡大図である。
【考案を実施するための形態】
【００１３】
次に、図および実施例を参照しながら、本考案についてさらに記述する。
【００１４】
本考案の記述において理解を要するのは、「上」、「下」、「前」、「後」、「左」、「右」、「頂部」、「底部」、「内」、「外」等の用語が指示する方向または位置関係は、図が示す方向または位置関係に基づいており、本考案を記述しやすくし記述を簡略化するためのものであるに過ぎず、指示される装置または部品が特定の方向を有しており特定の方向で構成および操作されなければならないことを指示または暗示するものではないため、本考案に対する制限であると理解してはならない、という点である。
【００１５】
図１、図２をご参照いただくと、本実施例では、焼き器であって、焼き器１のプレート面にいくつかの仕切り溝１３が形成されており、突縁部１２の、仕切り溝１３の少なくとも一端に対応する位置に、分割をガイドするためのガイドマーク１２１が設けられている。本実施例では、焼き器１のプレート面にいくつかの仕切り溝１３が形成されており、かつ、焼き器１の周縁の、仕切り溝１３の少なくとも一端に対応する位置に、分割をガイドするためのガイドマーク１２１が設けられているため、使用する際に、仕切り溝１３が小麦粉生地に覆い隠されても、焼き器１の周縁の、仕切り溝１３端部に対応して設けられたガイドマーク１２１によって、消費者が可能な限り仕切り溝１３に沿って焼き器１内の焼き終わったものを等分に分割することができるようになっている。
【００１６】
図１、図２をご参照いただくと、本実施例では、好ましくは、焼き器１の周縁に突縁部１２が形成されており、突縁部１２の、仕切り溝１３の端部に対応する位置にガイドマーク１２１が設けられている。本実施例では、好ましくは、突縁部１２の、各仕切り溝１３の両端に対応する位置にガイドマーク１２１がいずれも設けられている。
【００１７】
図１、図２をご参照いただくと、本実施例では、好ましくは、ガイドマーク１２１が、突縁部１２に開設された切り欠きであり、各切り欠きが、焼き器１のプレート面上の仕切り溝１３の端部に対応しており、突縁部１２上の切り欠きによって、消費者が可能な限り焼き器１のプレート面上の仕切り溝１３に沿って焼き器１内の焼き終わったものを等分に分割することができるようになっている。しかしながら、当業者は、他の実施例では、ガイドマーク１２１が、突縁部１２に設けられた突起（図示せず）であってもよいことを理解しなければならない。また、他の実施例では、ガイドマーク１２１は、位置マーキング作用を有する構造を突縁部１２上に形成することができ、本実施例において開示される切り欠きおよび突起に限定されない、他の類似した構造であってもよい。
【００１８】
図１、図２をご参照いただくと、本実施例では、好ましくは、焼き器１に２４個の焼き用の穴１１が設けられており、各穴１１が焼き器１上に均等に配列されて４行５列の等間隔構造を形成する。本実施例では、好ましくは、各行の穴１１の間と各列の穴１１の間の焼き器１のプレート面に仕切り溝１３がいずれも開設されている。しかしながら、他の実施例では、焼き器１上の穴１１の数および配列方式は、本実施例において開示された２４個の穴１１および４行５列の配列構造に制限されなくてもよく、具体的な必要性に応じて具体的に設計することができることを、当業者は理解しなければならない。
【００１９】
図１、図２をご参照いただくと、本実施例のうち１つの応用場面は次の通りである：本実施例の焼き器１を利用してたこ焼きを焼き、焼く際に、焼き器１の穴１１にたこ焼きの小麦粉生地を満たし、生地充填時に、生地が多過ぎる状況が生じて焼き器１のプレート面上の仕切り溝１３が覆い隠されるに至り、消費者が仕切り溝１３によって直観的に焼き器１内の半焼けの生地を等分に分割することができなくなる可能性があるが、本実施例では、突縁部１２上の、仕切り溝１３の端部に対応する位置にガイドマーク１２１が設けられており、ガイドマーク１２１の位置ガイド作用によって、消費者が可能な限り焼き器１のプレート面上の仕切り溝１３に沿って焼き器１内の焼き終わったものを等分に分割するのに役立つ。
【００２０】
また、他の実施例では、焼き器１に穴１１を設けず、焼き器１のプレート面にのみいくつかの仕切り溝１３を形成し、そして、焼き器１の周縁に突縁部１２を形成するとともに、焼き器１の突縁部１２上のガイドマーク１２１を仕切り溝１３の端部に対応させてもよいことを、当業者は理解しなければならない。
【００２１】
上述の実施例は本考案の技術的解決策を説明するためにのみ用いられ、それに対する制限ではなく；前述の実施例を参照して本考案について詳しく説明したが、当業者は次の点を理解しなければならない：依然として、前述実施例に記載された技術的解決策を修正するか、もしくは、そのうち一部の技術的特徴について均等物置換を行うことができるが；これらの修正または置換が、相応の技術的解決策を本考案の実施例の技術的解決策の趣旨および範囲から逸脱させることはなく、従って、創造的な労働を行っていない前提の下で当業者が得る他のあらゆる実施例は、いずれも本考案の保護範囲に属する。
【符号の説明】
【００２２】
１      焼き器
１１    穴
１２    突縁部
１２１  ガイドマーク
１３    仕切り溝
【図１】
0003231215.tif 000003
【図２】
0003231215.tif 000004
【手続補正書】
【提出日】令和3年1月14日(2021.1.14)
【手続補正１】
【補正対象書類名】実用新案登録請求の範囲
【補正対象項目名】全文
【補正方法】変更
【補正の内容】
【実用新案登録請求の範囲】
【請求項１】
いくつかの仕切り溝がプレート面に形成されている焼き器であって、焼き器の周縁の、前記仕切り溝の少なくとも一端に対応する位置に、分割をガイドするためのガイドマークが設けられていることを特徴とする焼き器。
【請求項２】
前記焼き器の周縁に突縁部が形成されており、前記突縁部の、前記仕切り溝の端部に対応する位置に前記ガイドマークが設けられていることを特徴とする請求項１に記載の焼き器。
【請求項３】
前記突縁部の、前記仕切り溝の各々の両端に対応する位置にガイドマークがいずれも設けられていることを特徴とする請求項２に記載の焼き器。
【請求項４】
前記ガイドマークが、前記突縁部に開設された切り欠きであることを特徴とする請求項２に記載の焼き器。
【請求項５】
前記ガイドマークが、前記突縁部に設けられた突起であることを特徴とする請求項２に記載の焼き器。
【請求項６】
前記焼き器に２４個の焼き用の穴形状が設けられており、各穴が前記焼き器上に均等に配列されて４行６列の等間隔構造を形成することを特徴とする請求項１〜５のいずれか一項に記載の焼き器。
【請求項７】
各行の前記穴の間と各列の前記穴の間に配置された前記焼き器の前記プレート面に前記仕切り溝がいずれも開設されていることを特徴とする請求項６に記載の焼き器。
【手続補正２】
【補正対象書類名】明細書
【補正対象項目名】０００９
【補正方法】変更
【補正の内容】
【０００９】
さらには、前記焼き器に２４個の焼き用の穴形状が設けられており、各穴が焼き器上に均等に配列されて４行６列の等間隔構造を形成する。
【手続補正３】
【補正対象書類名】明細書
【補正対象項目名】００１８
【補正方法】変更
【補正の内容】
【００１８】
図１、図２をご参照いただくと、本実施例では、好ましくは、焼き器１に２４個の焼き用の穴１１が設けられており、各穴１１が焼き器１上に均等に配列されて４行６列の等間隔構造を形成する。本実施例では、好ましくは、各行の穴１１の間と各列の穴１１の間の焼き器１のプレート面に仕切り溝１３がいずれも開設されている。しかしながら、他の実施例では、焼き器１上の穴１１の数および配列方式は、本実施例において開示された２４個の穴１１および４行６列の配列構造に制限されなくてもよく、具体的な必要性に応じて具体的に設計することができることを、当業者は理解しなければならない。